(57)【特許請求の範囲】
【請求項１】
筐体と、
前記筐体の外部に設けられたキーと、
前記筐体内に設けられたプリント基板と、
前記プリント基板に設けられたシールドケースと、
前記プリント基板に設けられ、前記シールドケース内に設けられた無線回路と、
前記シールドケースに立設されたリブと、
前記シールドケース外の前記リブに囲われた穴部と、
前記キーと前記プリント基板との間に設けられ、前記穴部に設けられた発光素子と、を備え、
前記発光素子から発光された光を前記リブで反射するようにしたことを特徴とする無線通信端末装置。
【請求項２】
前記リブの反射面は、鏡面仕上げめっきされていることを特徴とする請求項１記載の無線通信端末装置。
【請求項３】
前記穴部は、略長円形状であることを特徴とする請求項１または請求項２に記載の無線通信端末装置。
【請求項４】
前記リブと前記プリント基板とは、密着していることを特徴とする請求項１から請求項３のいずれか１項に記載の無線通信端末装置。
【発明の詳細な説明】
【０００１】
【発明の属する技術分野】
本発明は、高周波電子部品とシールドケースがある携帯電話装置などの無線通信端末装置のキーボタン照光装置およびキーボタン照光装置付き無線通信端末装置に関し、特に発光素子から発光された光をシールドケースの壁で反射せるようにして発光効率を上げるよう構成したものである。
【０００２】
【従来の技術】
従来の携帯電話装置などの無線通信端末装置の多くは、操作時や着信時にテンキー部分に発光素子の光を当てて照光している。これら、従来におけるキーボタンの照光方法は、プリント基板に実装された発光素子の光を集光させるために専用部品を使用したり、反射シートなどにより光を反射、伝播させるという方法が採られているに過ぎなかった。
【０００３】
しかし、機器本体の小型化、軽量化が進み、機器内部に余分なスペースが無くなってくると、部品点数を削減して軽量化を進めるといった設計方針では上記した専用部品や反射シートといった方法を採用することは困難になってきた。
【０００４】
また、従来はシールドケースに覆われている部分では、プリント基板に発光素子を設けたとしてもシールドケースの中から当然に光が外に出ないという理由で、照光可能なキーボタンを配置することは無かったが、最近は機能増加のためにシールドケースに覆われている部分についても照光可能なキーボタンを配置することが望まれている。
【０００５】
【発明が解決しようとする課題】
本発明は、上記した機器本体の小型化、軽量化に伴うスペースの問題を解決するとともに、シールドケースのある部分に穴部を設け、当該穴部にキーボタンを配置し、キーボタンの下に設けた発光素子から発光された光をシールドケースの壁で反射させるようにして発光効率を上げるようにしたキーボタン照光装置を提供することを第一の目的とし、上記キーボタン照光装置を搭載して所定の表示をさせるようにした無線通信端末装置を提供することを第二の目的とする。
【０００６】
【課題を解決するための手段】
本発明の請求項１に記載の発明は、筐体と、前記筐体の外部に設けられたキーと、前記筐体内に設けられたプリント基板と、前記プリント基板に設けられたシールドケースと、前記プリント基板に設けられ、前記シールドケース内に設けられた無線回路と、前記シールドケースに立設されたリブと、前記シールドケース外の前記リブに囲われた穴部と、前記キーと前記プリント基板との間に設けられ、前記穴部に設けられた発光素子と、を備え、前記発光素子から発光された光を前記リブで反射するようにしたことを特徴とする無線通信端末装置としたものである。この構成により、スペースの問題を解決するとともに発光効率を向上させることができる。
【００１５】
【発明の実施の形態】
以下、本発明の実施の形態について、図１から図３を用いて本発明のキーボタン照光装置を搭載した無線通信端末装置全体の構成を説明し、図４を用いて本発明のキーボタン照光装置の構成を詳述する。
【００１６】
図１（a）は、本発明の実施の形態に係る無線通信端末装置としての携帯電話装置の操作面を上にして示した外観斜視図であり、本体筐体１には、受話部２、送話部３、キー操作部４、表示部５とアンテナ部６が配置されている。
【００１７】
図１（ｂ）は、本発明の実施の形態に係る無線通信端末装置の背面を上にして示した外観斜視図であり、本体筐体１のアンテナ部６の近くに、通話中に押すことにより通話内容の録音を開始するメモ録音用キーボタン７が設けられている。
【００１８】
図１（ｃ）は、本発明の実施の形態に係る無線通信端末装置の断面図であり、本体筐体１の中には、プリント基板８があり、アンテナ部６の近くのプリント基板８には無線通信するための無線通信回路部９がある。なお、無線通信回路部９は高周波を発する部品があるため、不用輻射対策のためのシールドケース10で覆われている。最近の携帯電話装置では軽量化の意味からプラスチックに金属を蒸着したシールドケース10を用いている。メモ録音用キーボタン７はプリント基板８のシールドケース10に囲まれた穴部11に設けられている。22はプリント基板８に設けられたＬＥＤ等の発光素子である。
【００１９】
図２は、図１に示した本発明の実施の形態に係る携帯電話装置のブロック図である。図２において、アンテナ部６で受信した電波は無線通信回路部９の受信部（図示せず）でうけて、受信情報を制御部12に伝える。制御部12は受信した電話番号などの受信情報を液晶表示装置などの表示部５に表示する。また制御部12は受信情報を音声情報に変換して受話部（スピーカ）２で音声出力する。また送話部（マイク）３は利用者の音声を受けて制御部12に伝え、無線通信回路部９の送信部（図示せず）とアンテナ部６により通話相手先に無線送信する。
【００２０】
制御部12は、メモ録音用キーボタン７が操作されると、メモリ13に通話中の通話内容などの音声情報を記憶させ、あるいは記憶してある情報を読み出すようにしている。なお、メモ録音用キーボタン７は、押されることにより通話内容の録音を開始させるメモ録音用スイッチ15としての機能と、制御部12により通話中に発光素子22を発光させることにより、通話中であることを示す通話状態表示器16という２つの機能を果たしている。
【００２１】
テンキー等のキー操作部14は、キー操作によって制御部12に信号を入力したり、制御部12を介して電子電話帳などの個人情報をメモリ13に記憶させるようにしている。
【００２２】
図３は、上記本発明の実施の形態に係るキーボタン照光装置であるメモ録音用キーボタン７付近の構造を示した断面図である。通常の断面図では、断面を表現するために断面に斜線を付すのが慣例であるが、本明細書ではそのような斜線を施すと構成が不鮮明になるのを避けたいがためにプリント基板８および導電膜17を除いて斜線を施すのを省略することにした。
【００２３】
図３において、キーボタン照光装置は、本体筐体１のケース18によってスカート部19などが保持されるとともに押すことによってプリント基板８に設けられた導電パターン20に接触する導電膜17を有する接点部を具えたメモ録音用キーボタン７とメモ録音用キーボタン７のスカート部19を支持するとともにプリント基板上の搭載される部品をシールドするための金属系の表面処理が施され、さらに導電パターン20を囲む穴部11を有し、穴部11の壁の機能を果たすリブ21を有してプリント基板８に支持されるシールドケース１０と、プリント基板８に半田付けされ通話中に点灯するＬＥＤなどの発光素子22とから構成されている。
【００２４】
なお、シールドケース10の穴部11のリブ21の下方には位置決め用ボス23を突出して形成しておき、プリント基板８の位置決め孔24に嵌入させて、発光素子22とシールドケース10の穴部11との相対位置を精度良く位置決めしている。
【００２５】
そして、シールドケース10の発光素子側の壁にはメッキ（鏡面仕上げ）25を施している。さらにシールドケース10は本体筐体１のケース18により、キーボタンのスカート部19を介してプリント基板８に密着するように押圧して、より発光効率を向上させるようにしている。
【００２６】
図３（ｂ）は、図３（ａ）に示されたメモ録音用キーボタン７を除いてリブ21によって全周囲われた照光部の構成を示したものである。図３（ｂ）において、リブ21は略長円形状をなしており、その壁によってＬＥＤなどの発光素子22から発光された光が反射される様子が示されている。なお、プリント基板８に設けられた導電パターン20は機器本体の小型化、軽量化のために導電部が櫛歯状にレイアウトされ図３（ａ）に示した導電膜17を有した接点部を押し当てることによりキーボタンとしてのスイッチ機能を実現する。
【００２７】
図３（ａ）の断面図において、メモ録音用キーボタン７が上から押されると、スカート部19との接続部分が変形して下に下がり、導電膜17がプリント基板８の導電パターン20に当接する。すると、図示しない点灯回路によりＬＥＤ22が点灯あるいは点滅し、メモ録音用キーボタン７が照明される。
【００２８】
図３（ｃ）は、図３（ｂ）のＡ矢印方向から見た断面図で、メモ録音用キーボタン７を押した後にメモ録音用キーボタン７がスカート部19の力で上昇し本体筐体１のケース18に当接する位置まで戻り、点灯したＬＥＤ22が引き続きメモ録音用キーボタン７を照明している状況を示している。なお、図２の説明で述べたように、制御部12により、通話中にＬＥＤ22を点灯あるいは点滅させることにより、図３（ｃ）のような状態でメモ録音用キーボタン７を光らせて通話状態を報知することもできる。
【００２９】
図４に本発明の実施の形態における、通話中の通話状態表示の動作と、途中からメモ録音を行なうときの動作をフローチャートで示す。まず、電源がオンすると携帯電話装置は受信待受け状態となる（ステップ１）。着信があると着信鳴動し（ステップ２）、利用者が通話釦を押すと（ステップ３）、無線通話が始まる（ステップ４）。制御部12は無線通話開始するとＬＥＤ22を通話状態表示器16用のＬＥＤとして第一の発光色、例えば青色で点滅させる（ステップ５）。そのまま通話が終了すれば再び受信待受け状態に戻る（ステップ６）。
【００３０】
通話中にメモ録音スイッチであるメモ録音用キーボタン７を押すと（ステップ７）、メモ録音用キーボタン７のＬＥＤ22が第二の発光色、例えば赤色で点滅する（ステップ８）。その後一定時間経過によりメモ録音が終了するか、再度メモ録音用キーボタン７がメモ録音終了という意味合いで押されてメモ録音が終了すると（ステップ９）、ＬＥＤ22は通話状態表示器16として第一の発光色の青色で点滅する（ステップ10）。その後、通話が終了すれば受信待ち受け状態に戻る（ステップ11）。
【００３１】
以上のような動作を行なうことにより、本体筐体の背面に設けたメモ録音用キーボタン７を通話状態表示器16として点滅または点灯させ、周囲の人々に自分が通話中であることを知らせたり、通話中にメモ録音用キーボタン７を押して、メモ録音スイツチ15として機能させて点滅または点灯させることにより、通話内容をメモ録音していることを確認できるようにしている。
【００３２】
以上のように、シールドケースに穴部を設け、当該穴部のプリント基板に発光素子を設け、発光素子の上にキーボタンを配置するようにした構成は、シールドケースがプリント基板に対して精度良く位置決めされていて、プリント基板上の発光素子とシールドケースの相対位置関係が精度良く保たれるということと、シールドケースの表面が金属系の表面処理が施されているという性質を利用することにより、シールドケースの穴部の内壁を発光素子の光の反射面として用いることが可能であり、専用の反射鏡や反射シートを付加することなく、発光効率を高めてキーボタンを明るく照光することができる。
【００３３】
なお、上記の実施の形態では、本体筐体１の背面のアンテナ部６付近にメモ録音用キーボタン７を配置した例を示したが、本体筐体１の表面側のテンキー部分についてもシールドケースを用いることがあるので、本体筐体１の背面以外の本体筐体１の表面側のシールドケースで覆われている部分についても、本発明の実施の形態と同様のキーボタン照光装置を設けることができる。
【００３４】
【発明の効果】
本発明の請求項１に記載の発明は、筐体と、前記筐体の外部に設けられたキーと、前記筐体内に設けられたプリント基板と、前記プリント基板に設けられたシールドケースと、前記プリント基板に設けられ、前記シールドケース内に設けられた無線回路と、前記シールドケースに立設されたリブと、前記シールドケース外の前記リブに囲われた穴部と、前記キーと前記プリント基板との間に設けられ、前記穴部に設けられた発光素子と、を備え、前記発光素子から発光された光を前記リブで反射するようにしたことを特徴とする無線通信端末装置としたものである。この構成により、スペースの問題を解決するとともに発光効率を向上させることができるという効果がある。
【図面の簡単な説明】
【図１】（ａ）本発明の実施の形態に係る携帯電話装置の操作面を上にした外観斜視図、
（ｂ）本発明の実施の形態に係る携帯電話装置の背面を上にした外観斜視図、
（ｃ）本発明の実施の形態に係る携帯電話装置の断面図
【図２】本発明の実施の形態に係る携帯電話装置のブロック図、
【図３】本発明の実施の形態のメモ録音ボタン付近の断面図、
【図４】本発明の実施の形態に係る携帯電話装置のフローチャートである。
【符号の説明】
１  本体筐体
２  受話部
３  送話部
４  キー操作部
５  表示部
７  メモ録音用キーボタン
８  プリント基板
９  無線通信回路部
10  シールドケース
17  導電膜
20  導電パターン
21  リブ
22  ＬＥＤ
【図１】
0004282184.tif 000002
【図２】
0004282184.tif 000003
【図３】
0004282184.tif 000004
【図４】
0004282184.tif 000005